(57)【要約】【課題】耐ノイズ性を高め、組付けの際にコネクタ相互間が機械的、電気的に接続されて組付けが容易なこと。【解決手段】下面板１１、側面板１２，１３、上面板１４からなる枠体構成部１と、枠体構成部１の下面板１１に平行する下段プリント基板２２及び下段プリント基板２２に配設された下段コネクタ２５及び下段プリント基板２２の上面及びその周囲をシールドするシールド板２３からなる最下段構成部２と、最下段構成部２のシールド板２３及び／または枠体構成部１の両側の側面板１２，１３に取付けられた上段プリント基板３１及び上段プリント基板３１に配設された上段コネクタ３２からなる上段構成部３とを具備し、最下段構成部２の下段コネクタ２５及び上段構成部３の上段コネクタ３２に接続自在な下段対応コネクタ４２、上段対応コネクタ４３によって同時に着脱自在とし、それによってディスプレイ４０の電気的接続を行う。【選択図】図１
2010109277.tif 000002
【特許請求の範囲】
【請求項１】
金属製の板材により４面を形成してなる枠体構成部と、
前記枠体構成部の下面板に平行する下段プリント基板及び前記下段プリント基板に配設された下段コネクタ及び前記下段プリント基板の上面及びその周囲をシールドするシールド板からなる最下段構成部と、
前記最下段構成部の前記シールド板及び／または前記枠体構成部の両側の側面板に取付けられた上段プリント基板及び前記上段プリント基板に配設された上段コネクタからなる上段構成部と、
前記最下段構成部の下段コネクタ及び前記上段構成部の上段コネクタに接続自在なコネクタによって同時に着脱自在とし、それによってディスプレイの電気的接続を行う表示構成部
を具備することを特徴とするディスプレイ付ハウジング。
【請求項２】
前記枠体構成部は、前記下面板及び前記下面板を挟む両側面板からなるコ字状に折曲し、その開放面を上面板で固着してなることを特徴とする請求項１に記載のディスプレイ付ハウジング。
【請求項３】
前記表示構成部の前記枠体構成部への取付けは、両側面板または上下面板の前方に対して固着することを特徴とする請求項１または請求項２に記載のディスプレイ付ハウジング。
【請求項４】
前記最下段構成部の前記下段コネクタ及び上段構成部の前記上段コネクタは、各々１個以上としたことを特徴とする請求項１乃至請求項３の何れか１つに記載のディスプレイ付ハウジング。
【請求項５】
前記最下段構成部のシールド板の背面には、複数のコネクタが配設されていることを特徴とする請求項１乃至請求項４の何れか１つに記載のディスプレイ付ハウジング。
【請求項６】
更に、前記枠体構成部の最上部には、ＣＤ−ＲＯＭまたはＤＶＤ−ＲＯＭの読み取りを行うプレーヤ機構部を配設したことを特徴とする請求項１乃至請求項５の何れか１つに記載のディスプレイ付ハウジング。
【請求項７】
更に、前記枠体構成部の背面板は、前記最下段構成部のシールド板の背面側を除き、前記枠体構成部の背面を閉じる構造としたことを特徴とする請求項１乃至請求項６の何れか１つに記載のディスプレイ付ハウジング。
【請求項８】
前記最下段構成部の下段コネクタ及び前記上段構成部の上段コネクタは、接点が横方向に配列された横長として配設し、前記上段コネクタのフローティング量を前記下段コネクタより大きく構成したことを特徴とする請求項１乃至請求項７の何れか１つに記載のディスプレイ付ハウジング。
【請求項９】
前記最下段構成部の下段コネクタと着脱自在な前記表示構成部のコネクタとは、シールドされた空間内で電気的・機械的接続がなされることを特徴とする請求項１乃至請求項８の何れか１つに記載のディスプレイ付ハウジング。
【発明の詳細な説明】
【技術分野】
【０００１】
本発明は、区画されたハウジング内の電子回路とその区画外のディスプレイとを電気的・機械的に接続するディスプレイ付ハウジングに関するもので、車載用のナビゲーション装置のようにディスプレイと電子回路との接続を行うディスプレイ付ハウジングに関するものである。
【背景技術】
【０００２】
従来のこの種のディスプレイ付ハウジングとしては、先行技術に特許文献１及び特許文献２がある。
特許文献１は、ハウジング本体と蓋体によって構成されるハウジング内に、各種電気・電子部品が実装されたプリント基板が収納され、前記ハウジング本体にはその底板の近傍にスペーサーを介して立設させた取付部が設けられ、この取付部に前記プリント基板の角部近傍に形成された取付孔を挿通させ、ナットによってプリント基板を固定し、更に、ハウジング本体の上部から蓋体を被せることにより、ハウジングが組み立てられている。また、このハウジングには、外部配線との接続のために、プリント基板上にコネクタが半田付けにより取り付けられ、それがハウジングから露出している。
【０００３】
また、特許文献２は、ハウジングの下側にプリント基板を配置し、上側に前記プリント基板と平行に絶縁基板を介して電線及びブスバーを配設し、前記プリント基板と直交するハウジングの周壁に前記プリント基板、ブスバー及び電線等の内部回路と接続されるハウジングを構成し、しかも、前記電線が前記プリント基板に面し、絶縁基板の一面にブスバー、他面に電線を配設した絶縁基板と、プリント基板とをハウジングの上下に配置する構造によって、電線をプリント基板に面して互いに向き合って配設し、絶縁基板の下面側（プリント基板側）の無駄な空間をなくし、それだけハウジング全体の厚さを薄くするという技術を開示している。
【特許文献１】特開平５−１４４５２３号公報
【特許文献２】特開２０００−９２６５９公報
【発明の開示】
【発明が解決しようとする課題】
【０００４】
しかし、特許文献１の技術は、ハウジングの固定部を車両のボディに取付け、そのハウジングのコネクタは、２個直角方向の両面板に配設されていることから、直接ハウジングの挿着により車体のボディ側にコネクタ接続するものではなく、前記コネクタはケーブル先端に取付けたコネクタによって接続されざるを得ないものである。
また、特許文献２の技術についても、ハウジングに取付けられたコネクタは、複数が直角方向の４面に配設されているから、この技術もケーブル先端に取付けたコネクタが接続されざるを得ないものである。
【０００５】
このように、特許文献１及び特許文献２の技術は、ハウジングに取付けられたコネクタがケーブル先端に取付けたコネクタに接続されるもので、一方のハウジングのボディ側にコネクタを取付け、そのハウジングのボディ側のコネクタを対向させ、両ハウジングを一体化するときにコネクタを直接相互接続することはできない。
一方、耐ノイズ性を高めるために金属板で堅固にシールドを行うと、当該シールドのためにコネクタに保障されたフローティング量以下の精度でハウジングを構成し、かつ、プリント基板の精度も上げる必要がある。それでも、複数のコネクタを同時に着脱するには、累積公差が大きくなり、結果、複数のコネクタを同時接続することは困難である。
【０００６】
そこで、この発明はかかる不具合を解決するためになされたもので、耐ノイズ性を高め、組付けの際にコネクタ相互間が機械的、電気的に接続されて組付けが容易なディスプレイ付ハウジングの提供を目的とするものである。
【課題を解決するための手段】
【０００７】
請求項１にかかるディスプレイ付ハウジングは、金属製の板材により４面を形成してなる枠体構成部の下面板と、その下面板に平行する下段プリント基板に配設された下段コネクタ及び前記下段プリント基板の上面及びその周囲側をシールドするシールド板からなる最下段構成部と、前記最下段構成部のシールド板及び／または両側面板に取付けられた上段プリント基板に配設された上段コネクタを有する上段構成部とを具備し、それら前記最下段構成部の下段コネクタ及び前記上段構成部の上段コネクタは、表示構成部のディスプレイの背面に取付けた複数個のコネクタによって同時に着脱自在として電気的接続を行うものである。
ここで、上記枠体構成部は、４つ折または３つ折を行い結果的に４面板で形成された枠体としたものである。
また、上記最下段構成部は、前記枠体構成部の下面板と、その下面板に平行する下段プリント基板、下段プリント基板に配設された下段コネクタ及び前記下段プリント基板の上面及びその周囲をシールドするシールド板から構成されるもので、少なくとも、シールド板によって、前記枠体構成部の下面板以外の面がシールドされている。勿論、前記枠体構成部の下面板によっても下段プリント基板がシールドされている。この下段プリント基板には、パルス等の高い周波数の信号処理を行うナビゲーション機能等の電子・電気部品が搭載される。即ち、ここでは、ディジタル処理する信号の流れがあり、周波数的には、高い周波数が使用される。
そして、上記上段構成部は、前記最下段構成部のシールド板及び／または両側面板に取付けられた上段プリント基板及び上段プリント基板に配設された上段コネクタからなるものであり、通常、直接、アナログ周波数として処理される周波数等の低い周波数が使用される。
更に、上記表示構成部は、前記最下段構成部の下段コネクタ及び前記上段構成部の上段コネクタと、前記表示構成部の背面に取付けた複数個のコネクタによって同時に着脱自在とし、それによって電気的接続を行うものである。このディスプレイは、液晶ディスプレイ、または液晶ディスプレイの代わりに、ＣＲＴディスプレイ、プラズマディスプレイ、ＥＬ等を使用することもできる。
更にまた、前記最下段構成部の下段コネクタ及び前記上段構成部の上段コネクタの同時に着脱自在とは、時間的な同時を意味するものではなく、時間的に多少のずれがあっても、結果的に１つの動作で着脱が行われることを意味するものである。前記下段コネクタ及び上段コネクタの接続には、下段コネクタを基準とし、位置的、時間的に若干のずれを設けるのが普通である。
【０００８】
請求項２にかかるディスプレイ付ハウジングの前記枠体構成部は、下面板及び当該下面板を挟む両側の側面板からなるコ字状に打ち抜きと共に折曲し、その開放面を上面板で固着して、金属製の板材により４面板を形成した枠体とするものである。
ここで、前記枠体構成部は、基本的構成を下面板及び当該下面板を挟む両側の側面板からなるコ字状に折曲するものであり、プレス加工において、１回の動作で、細部の取付孔、嵌合孔等の打ち抜き、起立片等の切り起しを任意に付加して行うこともできる。
【０００９】
請求項３にかかるディスプレイ付ハウジングの前記表示構成部の前記枠体構成部への取付けは、側面板または上下面板に対して固着するものである。
ここで、前記表示構成部の前記枠体構成部への機械的な取付けは、２枚の側面板または上下面板にビス止めで１箇所以上固定できるものである。勿論、２枚の側面板及び上下面板とすることもできる。
【００１０】
請求項４にかかるディスプレイ付ハウジングの前記最下段構成部及び上段構成部の前記下段コネクタ及び前記上段コネクタは、各々１個以上としたものである。
即ち、前記最下段構成部及び上段構成部の各コネクタは、１個以上であればよいが、複数になると、それだけコネクタとしてのフローティング量を大きくする必要が出てくる。
【００１１】
請求項５にかかるディスプレイ付ハウジングは、前記最下段構成部のシールド板の背面には、複数のコネクタが配設されているものである。
ここで、前記最下段構成部のシールド板の背面の複数のコネクタは、例えば、ナビゲーション機能では各種のセンサ入力が多いことから、シールド板内で誘導が生じないようにディジタル処理するものである。
【００１２】
請求項６にかかるディスプレイ付ハウジングは、更に、前記枠体構成部の最上部には、プレーヤ機構部を配設したものである。
ここで、上記プレーヤ機構部は、前記枠体構成部の最上部にプレーヤ機構を配設したもので、読み取り及び駆動制御が主体となるものであるから、機械的に安定した場所に設置するものである。また、最上部とは、上段構成部よりも上の位置であり、上面板よりも下に位置すればよい。
【００１３】
請求項７にかかるディスプレイ付ハウジングは、更に、前記枠体構成部の背面板は、最下段構成部のシールド板の背面を除き、前記枠体構成部の背面を閉じる背面板を固着したものである。
ここで、上記背面板は、前記最下段構成部の背面側には、独立して各種センサの入力を配置する場合が多いから、前記枠体構成部の背面は、前記最下段構成部のシールド板の背面を除く前記枠体構成部の背面を背面板で閉じるものである。
【００１４】
請求項８にかかるディスプレイ付ハウジングの前記最下段構成部の下段コネクタ及び前記上段構成部の上段コネクタは、接点が横方向に配列された横長として配設し、前記上段コネクタのフローティング量を前記下段コネクタより大きく構成したものである。
ここで、下段コネクタと上段コネクタは、互いに平行に接続することにより、それらコネクタのフローティング量を活用することができる。したがって、２個以上の場合も同様である。前記上段構成部の上段コネクタを縦に配設しても、上段プリント基板と共同して見かけ上のフローティング量を得ることができる。
【００１５】
請求項９にかかるディスプレイ付ハウジングの前記最下段構成部の下段コネクタに接続自在なコネクタと着脱自在な前記表示構成部のコネクタとは、シールドされた空間内で電気的・機械的接続がされるものである。
ここで、シールドされた空間内とは、コネクタが電気的・機械的接続がされる空間を電気的、磁気的に囲うものであればよく、最下段構成部のシールド板側の前面または表示用シールド材側の何れを凹または凸としてもよい。
【発明の効果】
【００１６】
請求項１の発明のディスプレイ付ハウジングは、金属製の板材により４面を形成してなる枠体構成部の下面板と、その下面板に平行する下段プリント基板に配設された下段コネクタ及び前記下段プリント基板の上面及びその周囲をシールドするシールド板からなる最下段構成部と、前記最下段構成部のシールド板及び／または両側面板に取付けられた上段コネクタが取付けられた上段構成部との両コネクタは、ディスプレイの電気的接続を行う表示構成部の背面に取付けたコネクタによって同時接続を行うものである。
したがって、前記最下段構成部の下段プリント基板は、前記枠体構成部のシールド板によって、前記下段プリント基板と外部との間のシールドにより、ノイズの発生及び侵入を防止できる。また、前記最下段構成部の下段コネクタ及び前記上段構成部の上段コネクタは、前記表示構成部の背面に取付けたコネクタによって同時に挿着自在とするものであるから、ワンタッチで電気的接続を行うことができ、その組み付け効率をよくすることができる。したがって、耐ノイズ性を高め、組付けの際にコネクタ相互間が機械的、電気的に接続されて組付けが容易となる。そして、シールド板はスペーサーとしての機能を有しているので、部品点数を少なくすることができ、また、前記上段コネクタのフローティング量を前記下段コネクタより大きくすることにより、実装される電子部品のスペースが確保し易くなる。更に、上段プリント基板をシールド板に対して取り付ける構造としたことにより、上段プリント基板に設けられるねじ止め用の穴の位置を任意に設定でき、実装される電子部品の配置及び配線の自由度を向上することができる。
【００１７】
請求項２の発明のディスプレイ付ハウジングの前記枠体構成部は、下面板及び当該下面板を挟む両側の側面板からなるコ字状に打ち抜きと共に折曲し、その開放面を上面板で固着してなるものであるから、請求項１の効果に加えて、基本的なコ字状の折曲が下面板及び両側の側面板からなり、具体的実施物においては更に仔細なプレス加工が必要になるが、単純にコ字状に成型するのみで加工を終えるものであるから、その加工が容易となる。また、開放面の上面板を最後に固着することにより、その間の組み立ての工程を確認することができ、またメンテナンスにも使用できる。
【００１８】
請求項３の発明のディスプレイ付ハウジングの前記表示構成部の前記枠体構成部への取付けは、対応する側面板または上下面板に対して固着するものであるから、請求項１または請求項２に記載の効果に加えて、単純なビス止め等の固着手段の使用が可能となり、組付けが容易になる。
【００１９】
請求項４の発明のディスプレイ付ハウジングの前記最下段構成部及び前記上段構成部の前記下段コネクタ及び前記上段コネクタは、各々１個以上としたものであるから、請求項１乃至請求項３の何れか１つに記載の効果に加えて、前記最下段構成部及び前記上段構成部の各コネクタは、１個以上であればよく、複数であってもコネクタのフローティング量の選択によって実施でき、電気的・機械的接続が簡単、かつ、容易に行うことができる。
【００２０】
請求項５の発明のディスプレイ付ハウジングの前記最下段構成部のシールド板の背面には、複数のコネクタが配設されているものであるから、請求項１乃至請求項４の何れか１つに記載の効果に加えて、前記最下段構成部がシールドされているから、ノイズ源となったり、ノイズを拾ったりすることがない。
【００２１】
請求項６の発明のディスプレイ付ハウジングは、更に、前記枠体構成部の最上部には、プレーヤ機構部を配設しものであるから、請求項１乃至請求項５の何れか１つに記載の効果に加えて、前記枠体構成部の下側が前記最下段構成部のシールド板と共に堅固に構成され、かつ、前記枠体構成部の上側が前記プレーヤ機構部によって機械的強度が高く堅固に構成されるから、ディスプレイ付ハウジング全体の機械的強度を上げることができ、また、ディスプレイ付ハウジングと車両との取付けの関係からしても機械的振動を少なくすることができる。
【００２２】
請求項７の発明のディスプレイ付ハウジングは、更に、前記枠体構成部の背面板は、最下段構成部のシールド板の背面側を除き、前記枠体構成部の背面を閉じる背面板を固着したものであるから、請求項１乃至請求項６の何れか１つに記載の効果に加えて、例えば、ナビゲーション装置等においては、最下段構成部のシールド板の背面板側には、独立して各種センサの入力を必要とするから、枠体構成部の背面板は、最下段構成部の背面板を除く前記枠体構成部の背面板を閉じるものであれば、最下段構成部のコネクタによって外部のセンサ等に接続することができる。
【００２３】
請求項８の発明のディスプレイ付ハウジングの前記最下段構成部の下段コネクタ及び前記上段構成部の上段コネクタは、接点が横方向に配列された横長として配設し、前記上段コネクタのフローティング量を前記下段コネクタより大きく構成したものであるから、請求項１乃至請求項７の何れか１つに記載の効果に加えて、下段コネクタと上段コネクタは、互いに平行に接続することにより、それらコネクタのフローティング量を活用することができる。また、下段コネクタと上段コネクタは、前記上段コネクタのフローティング量を前記下段コネクタより大きくしたものであるから、組み付けやすい。したがって、２個以上の場合も同様である。また、複数のコネクタの接続が必要な場合でも、作業効率の良い接続を行うことができる。
【００２４】
請求項９の発明のディスプレイ付ハウジングの前記最下段構成部の下段コネクタと着脱自在な前記表示構成部のコネクタは、シールドされた空間内で電気的・機械的接続がされるものであるから、請求項１乃至請求項８の何れか１つに記載の効果に加えて、耐ノイズ性をよくすることができる。しかも、当該相互接続されたコネクタの周囲は、前記表示構成部の背面との間で閉じられているから、シールド空間に位置し、耐ノイズ性の信頼性を上げることができる。
【発明を実施するための最良の形態】
【００２５】
以下、本発明の実施の形態について、図面に基づいて説明する。なお、図中、実施の形態の同一記号及び同一符号は、同一または相当する機能部分である。
【００２６】
図１は本発明の実施の形態にかかるディスプレイ付ハウジングの最下段構成部を示す斜視図であり、図２は同じくディスプレイ付ハウジングの最下段構成部を示す正面板図、図３は同じくディスプレイ付ハウジングの最下段構成部を示す背面板図である。また、図４は本発明の実施の形態にかかるディスプレイ付ハウジングの最下段構成部及び上段コネクタ部を示す斜視図であり、図５は同じくディスプレイ付ハウジングの最下段構成部及び上段コネクタ部を示す正面板図である。そして、図６は本発明の実施の形態にかかるディスプレイ付ハウジングのディスプレイ部を示す斜視図であり、図７は同じくディスプレイ付ハウジングのディスプレイ部の背面板図である。更に、図８は本発明の実施の形態にかかるディスプレイ付ハウジングの全体の前方から見た斜視図であり、図９は同じくディスプレイ付ハウジングの正面板図、図１０は同じくディスプレイ付ハウジングの背面板図である。
【００２７】
図１乃至図３において、ハウジング本体１０は、プレス加工によって基本的形状を、前方または後方から見て上に開口するコ字状に折曲げ、下面板１１並びにその両側から立ち上がる両側面板１２及び側面板１３が形成されている。なお、下面板１１並びにその両側から立ち上がる両側面板１２及び側面板１３は、上面板１４（図８〜図９参照）によって、金属製の板材により４面板を形成した枠体となっている。この金属製の板材により下面板１１並びにその両側から立ち上がる両側面板１２及び側面板１３、上面板１４（図８〜図９参照）によって、４面を形成してなる本実施の形態の枠体構成部１を構成している。しかし、本発明を実施する場合には、１枚板を折曲し、連続した下面板１１、両側面板１２及び側面板１３、上面板１４からなるハウジング本体１０とすることができる。また、下面板１１及び側面板１２と側面板１３及び上面板１４とすることもできる。
【００２８】
下面板１１には随所にプリント基板を取付けるため、上側に突出する突出座２１を形成し、そこに、電気・電子部品を実装したプリント基板からなる下段プリント基板２２を取付けている。下面板１１の内側上面板は、下段プリント基板２２の半田付け面側が対応している。下段プリント基板２２の上面側は、電気・電子部品が実装されている。したがって、下面板１１と下段プリント基板２２の位置は、比較的精度のよい状態となる。
下段プリント基板２２には、その前方に下段コネクタ２５が配設されており、ディスプレイ４０（図６参照）の背面に配設された下段対応コネクタ４２（図７参照）に接続自在になっている。この下段コネクタ２５は下段プリント基板２２に直接取り付けたものであり、下段プリント基板２２に半田付けされている。
【００２９】
電気・電子部品を実装した下段プリント基板２２の上は、下段プリント基板２２の上面及びその周囲の側面側をシールドするシールド板２３によって囲まれている。即ち、シールド板２３は、シールド上面２３ａ、周囲のシールド前面２３ｂ、シールド側面２３ｃ，２３ｄ、背面２３ｅで下段プリント基板２２の５面を囲んでいる。即ち、下段プリント基板２２から見れば、シールド上面２３ａ、周囲のシールド前面２３ｂ、シールド側面２３ｃ，２３ｄ、背面２３ｅ並びにハウジング本体１０下面板１１によって全周囲が囲まれている。しかし、このシールド状態とは、緻密に囲まれていることを意味するものではなく、シールド効果が得られる程度に囲まれている。
【００３０】
例えば、シールド板２３には、上段プリント基板３１を取り付けるための切り起し片２３ｆが形成されているから、その切り起し片２３ｆの開口、或いはシールド板２３をハウジング本体１０の下面板１１に取付ける脚部２３ｇを形成したことによる隙間も存在する。これらの開口、隙間は、ノイズの影響を受けない程度のものである。
【００３１】
なお、シールド板２３の後方は、背面２３ｅに配設する複数のコネクタ２４の配列自由度を得るために、複数のコネクタ２４の配列に応じた体積、配列面積を設定している。しかし、シールド板２３によって、下段プリント基板２２の上面及びその周囲をシールドしていることに違いはない。
特に、本実施の形態では、車載ナビゲーション装置の主たる機能を持たせているから、各種センサの情報が必要となり、そのために複数のコネクタ２４が配設されている。しかし、複数のコネクタ２４は直接下段プリント基板２２に取付けてもよいが、本実施の形態のように別部材を設けて取付けてもよい。いずれにせよ、複数のコネクタ２４においても、シールド板２３のシール効果を持たせている。
【００３２】
このように、電気的及び磁気的に遮蔽する特性を有する金属製の板材により４面を形成してなる枠体の構成は、本実施の形態の枠体構成部１を構成している。
また、金属製の板材により４面板を形成して枠体としたハウジング本体１０の下面板１１と、その下面板１１に平行する下面板１１に直接取付けた下段プリント基板２２に配設された下段コネクタ２５及び下段プリント基板２２の上面及びその周囲側をシールドする下面板１１に直接取付けたシールド板２３によって最下段構成部２を構成している。
【００３３】
即ち、最下段構成部２のシールド板２３には、複数の切り起し片２３ｆを有しており、そこに上段プリント基板３１（図４、図５参照）を取付けている。上段プリント基板３１は各種電気・電子部品を実装したナビゲーション用とオーディオ用とを兼用するプレーヤ機構５０（図８、図９参照）の駆動回路、音楽用、再生画像用のＣＤ−ＲＯＭまたはＤＶＤ−ＲＯＭからのオーディオデータを書き込む記憶回路を有するものである。なお、地図データのＣＤ−ＲＯＭまたはＤＶＤ−ＲＯＭからは地図情報を下段プリント基板２２に搭載された記憶回路に格納される。このように、上段プリント基板３１をシールド板２３に対して取り付ける構造としたことにより、上段プリント基板３１に設けられるねじ止め用の穴の位置を任意に設定でき、実装される電子部品の配置及び配線の自由度が向上する。
【００３４】
図４及び図５に示すように、最下段構成部２のシールド板２３及びハウジング本体１０の下面板１１を挟む両側の側面板１２，１３に取付けられた上段プリント基板３１には、横方向に伸びている上段コネクタ３２が取付けられている。
この上段プリント基板３１は、最下段構成部２のシールド板２３の複数の切り起し片２３ｆのみに取付けてもよいが、ハウジング本体１０の両側面板１２及び側面板１３にも切り起し片１３ａを形成し、切り起し片１３ａに対しても、シールド板２３を取付けることが望ましい。
【００３５】
本実施の形態においては、最下段構成部２のシールド板２３の切り起し片２３ｆに取付けられた各種電気・電子部品を実装した上段プリント基板３１、上段プリント基板３１が有する横方向にピンの配列を有する上段コネクタ３２は、本実施の形態の上段構成部３を構成している。ここで、最下段構成部２のシールド板２３の切り起し片２３ｆに取付けられた上段プリント基板３１は、それによって取付け位置が決定されるから、更に機械的強度を増すために上段プリント基板３１を両側の側面板１２，１３に取付けることもできる。このとき、最下段構成部２のシールド板２３の切り起し片２３ｆ及び両側の側面板１２，１３に取付けられた各種電気・電子部品を実装した上段プリント基板３１、上段プリント基板３１が有する横方向にピンの配列を有する上段コネクタ３２は、本実施の形態の上段構成部３を構成する。
【００３６】
図６及び図７に示すように、ディスプレイ４０は、その表示面４５及びその周囲に配設した各種操作キー４６及び地図データ、音楽用、再生画像用のＣＤ−ＲＯＭまたはＤＶＤ−ＲＯＭの記憶媒体挿入口４７を有している。ディスプレイ４０の表示面４５及びその周囲に配設した各種操作キー４６の信号は、図示しない裏面に配設された各種電気・電子部品を実装した表示用プリント基板によって処理される。この図示しない表示用プリント基板は、表示用シールド材４１によってその裏面側をシールドしている。表示用シールド材４１は表示面４５の液晶を表側とし、その裏面側にバックライト及び表示用プリント基板が配設されて、裏側表面に露出されている。そして、全体を合成樹脂の枠体に組み付けている。
【００３７】
表示用シールド材４１には、２個の凹部（表示面板側に凸）４１ａが形成されていて、そこに下段コネクタ２５と接続される下段対応コネクタ４２、上段コネクタ３２と接続される上段対応コネクタ４３が配設される。下段対応コネクタ４２と上段対応コネクタ４３は下段コネクタ２５と上段コネクタ３２と装着できるように横方向に長く、ピンの配列がなされている。２個の凹部（表示面板側に凸）４１ａの深さは、特に、下段対応コネクタ４２に下段コネクタ２５が挿着されたとき、表示用シールド材４１とシールド板２３のシールド前面板２３ｂが接触または近接し、少なくとも、下段対応コネクタ４２に下段コネクタ２５をシールドする構造となっている。
上段対応コネクタ４３は上段コネクタ３２をシールドする構造になっていないが、本発明を実施する場合には、上段対応コネクタ４３と上段コネクタ３２を同様にシールドする構造とすることもできる。なお、本実施の形態では、上段対応コネクタ４３と上段コネクタ３２の雌雄を問うものではない。
【００３８】
また、表示面４５及びその周囲に配設した各種操作キー４６からなるディスプレイ４０に配設した表示用シールド材４１には、後部に突出する両側に計４個の取付凸片４１ｄが形成されていて、ハウジング本体１０の前部の側面板１２及び側面板１３の前部に形成した係合凹部１３ｂに挿入し、ハウジング本体１０の側面板１２及び側面板１３の係合凹部１３ｂにディスプレイ４０の取付凸片４１ｄがビス等によって取付け自在となっている。
ディスプレイ４０側の取付凸片４１ｄとの関係は、係合凹部１３ｂに接触すると、両者はビス止めするまでもなく、相対移動できない程度に接触する精度に構成されている。
【００３９】
本実施の形態では、ディスプレイ４０側の取付凸片４１ｄを左右の側面板１２及び側面板１３の係合凹部１３ｂに取付け自在としたものであるが、本発明を実施する場合には、取付凸片４１ｄと係合凹部１３ｂの位置をハウジング本体１０の上面板１４、下面板１１とすることができる。また、上面板１４、下面板１１、側面板１２，１３にそれぞれ設けることもできる。しかし、ディスプレイ４０の取付凸片４１ｄを左右の側面板１２及び側面板１３の係合凹部１３ｂに取付け自在としたものでは、２面方向から作業でき、作業効率がよく、かつ、上面板１４のみを外すことができるのでメンテナンス等の際に作業性がよくなる。
【００４０】
図６及び図７で説明したように、液晶等の表示面４５及びその駆動回路及び表示面４５の周囲に配設した各種操作キー４６から本実施の形態のディスプレイ４０を構成している。表示用シールド材４１及びその取付凸片４１ｄ並びにその凹部（表示面板側に凸）４１ａに配設した下段対応コネクタ４２と上段対応コネクタ４３は、本実施の形態の表示構成部４を構成している。
【００４１】
図８及び図９において、本実施の形態のディスプレイ付ハウジングの全体は、ハウジング本体１０のコ字状の最上部の開口する位置に、プレーヤ機構５０を配置するプレーヤ機構部５となっている。このプレーヤ機構部５は、表示構成部４の記憶媒体挿入口４７から挿入された地図データ、音楽用、再生画像用のＣＤ−ＲＯＭまたはＤＶＤ−ＲＯＭ等の読み取り手段の機構部分として機能する。プレーヤ機構部５は、電気的に下段プリント基板２２と上段プリント基板３１にフレキシブルケーブル５１によって電気的に接続されている。
地図データ、再生画像用のＣＤ−ＲＯＭまたはＤＶＤ−ＲＯＭ等の読み取り手段としてのプレーヤ機構部５から地図データ等をフレキシブルケーブル５１を介して、下段プリント基板２２の記憶回路に格納自在としている。
【００４２】
また、ハウジング本体１０の側面板１３には、ファン１３ｅが取付けられており、図示しない通気孔から空気が内部を通過し、電子部品等を冷却し、ファン１３ｅから排出する構造となっている。
なお、上面板１４は、ハウジング本体１０の側面板１２，１３の上端にビス１４ａによってビス止めされている。したがって、メンテナンス等の際に上面板１４を外すことができ、その作業性がよくなる。また、組み立ての際には、その組み立て経過を上面板１４を外した状態で確認し、上面板１４を取り付けることによって完成とすることができる。
【００４３】
このように、本実施の形態のディスプレイ付ハウジングは、シールド特性を有する金属製の板材により下面板１１、側面板１２，１３、上面板１４からなる４面を形成してなる枠体構成部１と、枠体構成部１の下面板１１に平行する下段プリント基板２２及び下段プリント基板２２に配設された下段コネクタ２５及び下段プリント基板２２の上面及びその周囲をシールドするシールド板２３からなる最下段構成部２と、最下段構成部２のシールド板２３及び／または枠体構成部１の両側の側面板１２，１３に取付けられた上段プリント基板３１及び上段プリント基板３１に配設された上段コネクタ３２からなる上段構成部３と、最下段構成部２の下段コネクタ２５及び上段構成部３の上段コネクタ３２に接続自在な下段対応コネクタ４２、上段対応コネクタ４３からなるコネクタによって同時に着脱自在とし、それによってディスプレイ４０の電気的接続を行う表示構成部４を具備するものである。
【００４４】
したがって、枠体構成部１の下面板１１と、その下面板１１に平行する下段プリント基板２２に配設された下段コネクタ２５及び下段プリント基板２２の上面及びその周囲をシールドするシールド板２３からなる最下段構成部２と、最下段構成部２のシールド板２３及び／または両側面板１２，１３に取付けられた上段コネクタ３２が取付けられた上段構成部３との両コネクタは、ディスプレイ４０の電気的接続を行う表示構成部４の背面に取付けた下段対応コネクタ４２、上段対応コネクタ４３からなるコネクタによって同時接続を行うことができる。
また、最下段構成部２の下段プリント基板２２は、枠体構成部１のシールド板２３によって、下段プリント基板２２と外部との間のシールドにより、ノイズの発生及び侵入を防止できる。最下段構成部２の下段コネクタ２５及び上段構成部３の上段コネクタ３２は、表示構成部４の背面に取付けた下段対応コネクタ４２、上段対応コネクタ４３からなるコネクタによって同時に挿着自在とするものであるから、ワンタッチで電気的接続を行うことができ、その組み付け効率をよくすることができる。
【００４５】
特に、下段コネクタ２５は、枠体構成部１の下面板１１によって位置決めされ、下段コネクタ２５の設置が枠体構成部１の下面板１１を基準とし、かつ、上段プリント基板３１に配設された上段コネクタ３２は、枠体構成部１の下面板１１を基準とするシールド板２３に配設されているから、仮に枠体構成部１が平行四辺形としての弱点である上面板１４と下面板１１の位置がずれを呈しても、下段コネクタ２５と上段コネクタ３２の位置は、枠体構成部１の下面板１１及びシールド板２３によって決定されるから、両下段コネクタ２５と上段コネクタ３２との位置に誤差が生じ難い。また、下段コネクタ２５を基準にすれば、上段コネクタ３２は上段プリント基板３１に配設されているから、上段プリント基板３１の弾性によって上段コネクタ３２のフローティング量として吸収することができる。そして、シールド板２３は上段プリント基板３１のスペーサーとしての機能を有しているので、部品点数を少なくすることができ、従来のスペーサーに比較して、その製造誤差を少なくすることができる。
よって、耐ノイズ性を高め、組付けの際にコネクタ相互間が機械的、電気的に接続されて組付けが容易となる。
【００４６】
ここで、本実施の形態の枠体構成部１は、４つ折または３つ折を行い結果的に４面板で形成された枠体としたものであればよい。
また、本実施の形態の最下段構成部２は、枠体構成部１の下面板１１と、その下面板１１に平行する下段プリント基板２２、下段プリント基板２２に配設された下段コネクタ２５及び下段プリント基板２２の周囲をシールドするシールド板２３から構成されるものであるが、本発明を実施する場合には、少なくとも、シールド板２３によって、枠体構成部１の下面板１１以外の面がシールドされている。勿論、枠体構成部１の下面板１１によっても下段プリント基板２２がシールドされている。この下段プリント基板２２には、パルス等の高い周波数のディジタル処理する信号の流れがあり、周波数的には、高い周波数が使用されている。したがって、シールド板２３によって、耐ノイズ特性を上げている。
そして、上段構成部３は、最下段構成部２のシールド板２３及び／または両側面板１２，１３に取付けられた上段プリント基板３１及び上段プリント基板３１に配設された上段コネクタ３２からなるものであり、通常、アナログ回路として処理され、最下段構成部２よりも低い周波数が使用される。
【００４７】
表示構成部４は、最下段構成部２の下段コネクタ２５及び上段構成部３の上段コネクタ３２と、表示構成部４の背面に取付けた複数個の下段対応コネクタ４２、上段対応コネクタ４３からなるコネクタによって同時に着脱自在とし、それによって電気的接続を行うものである。このディスプレイ４０の表示面４５は、液晶ディスプレイ、または液晶ディスプレイの代わりに、ＣＲＴディスプレイ、プラズマディスプレイ、ＥＬ等を使用し、車両のフロントガラスにホログラムを投影するホログラム装置等を使用することもできる。
また、最下段構成部２の下段コネクタ２５及び上段構成部３の上段コネクタ３２の同時に着脱自在とは、時間的な同時を意味するものではなく、時間的に多少のずれがあっても、結果的に１つの動作で着脱が行われることを意味するものである。
【００４８】
本実施の形態の枠体構成部１は、下面板１１及び下面板１１を挟む両側面板１２，１３からなるコ字状に折曲し、その開放面を上面板１４で固着しているから、基本的なコ字状の折曲が下面板１１及び両側の側面板１２，１３からなり、具体的実施物においては、プレス加工において、１回の動作で、細部の取付孔、嵌合孔等の打ち抜き、起立片等の切り起しを任意に付加して行う必要があるが、単純にコ字状に成型するのみで加工を終えるものであるから、その加工が容易となる。また、開放面の上面板１４を最後に固着することにより、その間の組み立ての工程を確認することができる。また、メンテナンスの際には、プレーヤ機構部５が最上位にあり、管理、修理がやりやすくなる。
【００４９】
本実施の形態の表示構成部４の枠体構成部１への取付けは、両側面板１２，１３または上下面板１１，１４の前方に対して固着するものであリ、単純なビス止め等の固着手段の使用が可能となり、組付けが容易になる。しかし、表示構成部４の枠体構成部１への機械的な取付けは、２枚の側面板１２，１３または上下面板１１，１４にビス止めで１箇所以上固定できるものである。勿論、２枚の側面板１２，１３及び上下面板１１，１４とすることもできる。
【００５０】
本実施の形態の最下段構成部２の下段コネクタ２５及び上段構成部３の上段コネクタ３２は、各々１個以上とすることができる。最下段構成部２及び上段構成部３の下段コネクタ２５及び上段コネクタ３２は、１個以上、複数であってもコネクタのフローティング量の選択によって実施でき、電気的・機械的接続が簡単、かつ、容易に行うことができる。即ち、最下段構成部２及び上段構成部３の下段コネクタ２５、上段コネクタ３２からなるコネクタは、１個以上であればよいが、複数になると、それだけコネクタとしての保障フローティング量を大きくする必要が出てくる。しかし、上段コネクタ３２は、上段プリント基板３１の弾性により、見掛けの保障フローティング量を大きくすることができる。
【００５１】
本実施の形態の最下段構成部２のシールド板２３の背面には、下段対応コネクタ４２、上段対応コネクタ４３からなる複数のコネクタが配設され、最下段構成部２がシールドされているから、最下段構成部２がノイズ源となったり、ノイズを拾ったりすることがない。ここで、最下段構成部２のシールド板２３の背面の複数のコネクタ２４は、例えば、ナビゲーション機能では各種のセンサ入力が多いことから、シールド板２３内で誘導が生じないようにディジタル処理するものである。
【００５２】
本実施の形態の枠体構成部１の最上部には、ＣＤ−ＲＯＭまたはＤＶＤ−ＲＯＭの読み取りを行うプレーヤ機構部５を配設したものであるから、枠体構成部１の下側が最下段構成部２のシールド板２３と共に堅固に構成され、かつ、枠体構成部１の上側がプレーヤ機構部５によって機械的強度が高く堅固に構成されるから、ディスプレイ付ハウジング全体の機械的強度を上げることができ、また、ディスプレイ付ハウジングと車両との取付けの関係からしても機械的振動を少なくすることができる。
なお、プレーヤ機構部５は、枠体構成部１の最上部にプレーヤ機構部５を配設したもので、読み取り及び駆動制御が主体となるものであるから、機械的に安定した場所に設置するものである。また、最上部とは、上段構成部３よりも上の位置であり、上面板１４よりも下に位置すればよい。
【００５３】
本実施の形態の枠体構成部１の背面板１５は、最下段構成部２のシールド板２３の背面２３ｅ側を除き、枠体構成部１の背面を閉じる構造としたものであるから、例えば、ナビゲーション装置等においては、最下段構成部２のシールド板２３の背面２３ｅ側には、独立して各種センサの入力を必要とするから、枠体構成部１の背面板１５は、最下段構成部２の背面２３ｅを除く枠体構成部１の背面を閉じるものであれば、最下段構成部２のコネクタ２４によって外部のセンサ等に接続することができる。特に、背面板１５は、最下段構成部２の背面側には、独立して各種センサの入力を配置する場合が多いから、枠体構成部１の背面は、最下段構成部２のシールド板２３の背面を除く枠体構成部１の背面を背面板１５で閉じるものである。
【００５４】
本実施の形態の最下段構成部２の下段コネクタ２５及び上段構成部３の上段コネクタ３２は、接点が横方向に配列された横長として配設したものであるから、最下段構成部２の下段コネクタ２５を基準とし、上段構成部３の上段コネクタ３２が取付けられている上段プリント基板３１の変化に対応し、最下段構成部２の下段コネクタ２５及び上段構成部３の上段コネクタ３２は、表示構成部４の背面に取付けた下段対応コネクタ４２、上段対応コネクタ４３からなるコネクタを同時に装着可能となる。したがって、複数の下段対応コネクタ４２、上段対応コネクタ４３からなるコネクタの接続が必要な場合でも、作業効率の良い接続を行うことができる。下段コネクタ２５と上段コネクタ３２は、互いに平行に接続することにより、それら下段コネクタ２５と上段コネクタ３２の保障フローティング量を活用することができる。したがって、２個以上の場合も同様である。
【００５５】
本実施の形態の最下段構成部３の下段コネクタ２５と着脱自在な表示構成部４の下段対応コネクタ４２からなるコネクタとは、シールドされた空間内で電気的・機械的接続がなされるものであるから、耐ノイズ性をよくすることができる。しかも、当該相互接続された下段コネクタ２５と下段対応コネクタ４２からなる周囲は、表示構成部４の背面との間で閉じられているから、シールド空間に位置し、耐ノイズ性の信頼性を上げることができる。このシールドされた空間内とは、コネクタが電気的・機械的接続がされる空間を電気的、磁気的に囲うものであればよく、最下段構成部３のシールド板２３側の前面または表示用シールド材４１側の何れを凹または凸としてもよい。
【００５６】
上記実施の形態のディスプレイ付ハウジングでは、枠体構成部１が最下段構成部２及び上段構成部３、プレーヤ機構部５と３層に分かれる事例で説明したが、本発明を実施する場合には、最下段構成部２を固定してあれば、上段構成部３が２相、３層になっても実施できる。
更に、上記実施の形態では、枠体構成部１が最下段構成部２及び上段構成部３、プレーヤ機構部５と３層に分かれる事例で説明したが、本発明を実施する場合には、そっくりそのまま上下を反転させることができる。即ち、本発明を実施する場合には、最下段構成部２は最上位置になり、上段構成部３も最下段構成部２の下になり、プレーヤ機構部５が最下位置になることもある。即ち、最下段構成部２、上段構成部３、プレーヤ機構部５等は名称として付したものである。
【図面の簡単な説明】
【００５７】
【図１】図１は本発明の実施の形態にかかるディスプレイ付ハウジングの最下段構成部を示す斜視図である。
【図２】図２は本発明の実施の形態にかかるディスプレイ付ハウジングの最下段構成部を示す正面板図である。
【図３】図３は本発明の実施の形態にかかるディスプレイ付ハウジングの最下段構成部を示す背面板図である。
【図４】図４は本発明の実施の形態にかかるディスプレイ付ハウジングの最下段構成部及び上段コネクタ部を示す斜視図である。
【図５】図５は本発明の実施の形態にかかるディスプレイ付ハウジングの最下段構成部及び上段コネクタ部を示す斜視図である。
【図６】図６は本発明の実施の形態にかかるディスプレイ付ハウジングのディスプレイ部を示す斜視図である。
【図７】図７は本発明の実施の形態にかかるディスプレイ付ハウジングのディスプレイ部の背面板図である。
【図８】図８は本発明の実施の形態にかかるディスプレイ付ハウジングの全体の前方から見た斜視図である。
【図９】図９は本発明の実施の形態にかかるディスプレイ付ハウジングの全体の正面板図である。
【図１０】図１０は本発明の実施の形態にかかるディスプレイ付ハウジングの全体の背面板図である。
【符号の説明】
【００５８】
１      枠体構成部
２      最下段構成部
３      上段構成部
４      表示構成部
５      プレーヤ機構部
１１    下面板
１２,１３    側面板
１４    上面板
２２    下段プリント基板
２３    シールド板
２５    下段コネクタ
３１    上段プリント基板
３２    上段コネクタ
４０    ディスプレイ
４１    表示用シールド材
【図１】
2010109277.tif 000003
【図２】
2010109277.tif 000004
【図３】
2010109277.tif 000005
【図４】
2010109277.tif 000006
【図５】
2010109277.tif 000007
【図６】
2010109277.tif 000008
【図７】
2010109277.tif 000009
【図８】
2010109277.tif 000010
【図９】
2010109277.tif 000011
【図１０】
2010109277.tif 000012